(57)【要約】【課題】金型の中に成形された棒状化粧料に触れず、且つ空気圧による押し出しを行うことなく、成形された棒状化粧料を容器に装填可能な棒状化粧料の製造装置および製造方法を提供することを課題とする。【解決手段】棒状化粧料を容器に装填する棒状化粧料の製造装置であって、前記棒状化粧料を成形した金型に隣接し、且つ、前記金型の型枠内に成形されている前記棒状化粧料の根本部分が前記容器の開口部を向いた状態で、前記容器を保持する保持手段と、前記棒状化粧料の根本部分が開口部を向いた状態で前記保持手段に保持された前記容器内の気体を吸引し、前記金型の型枠内に成形されている前記棒状化粧料を前記容器内に移動する吸引手段と、を備える。【選択図】図１
2014045985.tif 000002
【特許請求の範囲】
【請求項１】
棒状化粧料を容器に装填する棒状化粧料の製造装置であって、
前記棒状化粧料を成形した金型に隣接し、且つ、前記金型の型枠内に成形されている前記棒状化粧料の根本部分が前記容器の開口部を向いた状態で、前記容器を保持する保持手段と、
前記棒状化粧料の根本部分が前記開口部を向いた状態で前記保持手段に保持された前記容器内の気体を吸引し、前記金型の型枠内に成形されている前記棒状化粧料を前記容器内に移動する吸引手段と、を備える、
棒状化粧料の製造装置。
【請求項２】
前記金型は、前記棒状化粧料の長手方向と平行な境界面に沿って複数に分割可能であり、
前記保持手段は、複数に分割された前記金型のうち前記棒状化粧料が残留する何れかの金型の型枠内に成形されている前記棒状化粧料の根本部分が前記容器の開口部を向いた状態で、前記容器を保持する、
請求項１に記載の棒状化粧料の製造装置。
【請求項３】
複数に分割された前記金型のうち前記棒状化粧料が残留しない何れかの金型の型枠は、前記棒状化粧料の表面に立体的形状を形成する凹部及び凸部の少なくとも何れかを有する、
請求項２に記載の棒状化粧料の製造装置。
【請求項４】
前記保持手段は、前記容器内の気体を吸引する吸引口と、前記開口部と反対側にある前記容器の端部との間に所定の隙間が空いた状態で前記容器を保持する、
請求項１から３の何れか一項に記載の棒状化粧料の製造装置。
【請求項５】
棒状化粧料を容器に装填する棒状化粧料の製造方法であって、
前記棒状化粧料を成形した金型に隣接し、且つ、前記金型の型枠内に成形されている前記棒状化粧料の根本部分が前記容器の開口部を向いた状態で、前記容器を保持するステップと、
前記棒状化粧料の根本部分が前記開口部を向いた状態で前記保持手段に保持された前記容器内の気体を吸引し、前記金型の型枠内に成形されている前記棒状化粧料を前記容器内に移動するステップと、を実行する、
棒状化粧料の製造方法。
【請求項６】
前記金型は、前記棒状化粧料の長手方向と平行な境界面に沿って複数に分割可能であり、
前記容器を保持するステップでは、複数に分割された前記金型のうち前記棒状化粧料が残留する何れかの金型の型枠内に成形されている前記棒状化粧料の根本部分が前記容器の開口部を向いた状態で、前記容器を保持する、
請求項５に記載の棒状化粧料の製造方法。
【請求項７】
複数に分割された前記金型のうち前記棒状化粧料が残留しない何れかの金型の型枠は、前記棒状化粧料の表面に立体的形状を形成する凹部及び凸部の少なくとも何れかを有する、
請求項６に記載の棒状化粧料の製造方法。
【請求項８】
前記容器を保持するステップでは、前記容器内の気体を吸引する吸引口と、前記開口部と反対側にある前記容器の端部との間に所定の隙間が空いた状態で前記容器を保持する、
請求項５から７の何れか一項に記載の棒状化粧料の製造方法。
【発明の詳細な説明】
【技術分野】
【０００１】
本発明は、棒状化粧料の製造装置および製造方法に関する。
【背景技術】
【０００２】
口紅やグロス、リップクリームといった各種の棒状化粧料には、先端を傾斜面にした円柱形状のもの以外に、例えば、先端の傾斜面や側面を多面形状にしたものが考案されている（例えば、特許文献１−２を参照）。
【０００３】
棒状化粧料の先端の傾斜面や側面を多面形状にしたり、先端の傾斜面あるいは外周側面に刻印を形成したりする場合、弾性変形可能な成形用の型であるオジーブを用いた成形法が用いられることがある（例えば、特許文献３−４を参照）。
【先行技術文献】
【特許文献】
【０００４】
【特許文献１】特開２００７−２５２７８７号公報
【特許文献２】特開２００８−２７８９７６号公報
【特許文献３】実公昭６１−２９３７９号公報
【特許文献４】特開２００２−３３６０４０号公報
【発明の概要】
【発明が解決しようとする課題】
【０００５】
オジーブは弾性変形可能であるため、通常の金型では離型不可能な形状の成形物であっても成形可能である。しかし、オジーブは弾性変形可能な型であるが故に成形物を精密に成形することが困難であり、例えば、微細な凹凸形状を施そうとすると角の部分が丸みを帯びたりすることがある。また、オジーブは繰り返して使用可能な回数に制限があるため、大量生産の過程においてはオジーブの頻繁な交換を行う必要がある。
【０００６】
そこで、棒状化粧料の成形に際し、弾性変形不能な金型を用いることが望まれる。金型で成形した棒状化粧料であれば、例えば、微細な凹凸形状を施しても角の部分が丸みを帯びることも無く、審美性の高い棒状化粧料を成形可能である。ところが、成形された棒状化粧料は柔らかく、表面に傷等がつきやすい。そこで、容器への装填は、金型から直接行うことが望まれる。例えば、金型の中に空気圧を加えて棒状化粧料を金型から押し出せば、棒状化粧料に触れることなく容器へ装填可能である。しかし、例えば、金型に設けた凹凸等により、棒状化粧料の表面に立体的形状を設ける場合、当該立体的形状が金型の凹凸に嵌合した状態となるため、そのままでは棒状化粧料を金型から押し出すことができない。そこで、分離可能な金型を使い、立体的形状部分の成形を担う金型を分離した後、他方の金型に残留する棒状化粧料を容器に装填することが望まれる。しかし、金型を分離した場合、空気圧を加えて棒状化粧料を押し出すことは困難である。
【０００７】
本発明は、このような課題に鑑みてなされたものであり、金型の中に成形された棒状化粧料に触れず、且つ空気圧による押し出しを行うことなく、成形された棒状化粧料を容器に装填可能な棒状化粧料の製造装置および製造方法を提供することを課題とする。
【課題を解決するための手段】
【０００８】
上記課題を解決するため、本発明では、金型の型枠内に成形されている棒状化粧料の根本部分が容器の開口部を向いた状態で容器内の気体を吸引し、棒状化粧料を容器内に移動することにした。
【０００９】
詳細には、棒状化粧料を容器に装填する棒状化粧料の製造装置であって、前記棒状化粧料を成形した金型に隣接し、且つ、前記金型の型枠内に成形されている前記棒状化粧料の根本部分が前記容器の開口部を向いた状態で、前記容器を保持する保持手段と、前記棒状化粧料の根本部分が前記開口部を向いた状態で前記保持手段に保持された前記容器内の気体を吸引し、前記金型の型枠内に成形されている前記棒状化粧料を前記容器内に移動する吸引手段と、を備える。
【００１０】
上記棒状化粧料の製造装置であれば、容器内の気体を吸引することにより、棒状化粧料を容器内に移動しているため、金型の中に成形された棒状化粧料に触れず、且つ空気圧による押し出しを行うことなく、成形された棒状化粧料を容器に装填可能である。従って、例えば、棒状化粧料の表面に立体的形状を形成するべく、金型に凹凸等を設けたことにより、分離可能な金型を不可避的に使い、立体的形状部分の成形を担う金型を分離した後、他方の金型に残留する棒状化粧料を容器に装填せざるを得ない場合であっても、当該棒状化粧料に触れることなく、当該棒状化粧料を容器に装填することが可能である。
【００１１】
なお、前記金型は、前記棒状化粧料の長手方向と平行な境界面に沿って複数に分割可能であり、前記保持手段は、複数に分割された前記金型のうち前記棒状化粧料が残留する何れかの金型の型枠内に成形されている前記棒状化粧料の根本部分が前記容器の開口部を向いた状態で、前記容器を保持するものであってもよい。
【００１２】
このような金型を用いれば、境界面が棒状化粧料の長手方向に平行であるが故に、棒状化粧料を容器内へ装填する際、棒状化粧料が根元部分から容器へスムーズに移動する。
【００１３】
また、複数に分割された前記金型のうち前記棒状化粧料が残留しない何れかの金型の型枠は、前記棒状化粧料の表面に立体的形状を形成する凹部及び凸部の少なくとも何れかを有するものであってもよい。このような金型を用いれば、例えば、金型に凹凸等を設け、棒状化粧料の表面に立体的形状を形成する場合に、金型の分離が容易である。
【００１４】
また、前記保持手段は、前記容器内の気体を吸引する吸引口と、前記開口部と反対側にある前記容器の端部との間に所定の隙間が空いた状態で前記容器を保持するものであってもよい。このような保持手段を用いれば、吸引口を多数設け、各吸引口に口紅容器を各々配置して吸引を行う場合に、各吸引口間の吸引力のばらつきが緩和され、各吸引口に配置された各口紅容器内へ紅芯を適切に移動させることが可能である。
【００１５】
なお、本発明は、方法の側面から捉えることも可能である。例えば、棒状化粧料を容器に装填する棒状化粧料の製造方法であって、前記棒状化粧料を成形した金型に隣接し、且つ、前記金型の型枠内に成形されている前記棒状化粧料の根本部分が前記容器の開口部を向いた状態で、前記容器を保持するステップと、前記棒状化粧料の根本部分が前記開口部を向いた状態で前記保持手段に保持された前記容器内の気体を吸引し、前記金型の型枠内に成形されている前記棒状化粧料を前記容器内に移動するステップと、を実行するものであってもよい。
【発明の効果】
【００１６】
上記棒状化粧料の製造装置および製造方法であれば、金型の中に成形された棒状化粧料に触れず、且つ空気圧による押し出しを行うことなく、成形された棒状化粧料を容器に装填可能である。
【図面の簡単な説明】
【００１７】
【図１】実施形態に係る棒状化粧料の製造装置を示した図の一例である。
【図２】口紅容器が配置された状態の保持器を示した図の一例である。
【図３】吸引器の内部に形成されている通気経路を示した図の一例である。
【図４】棒状化粧料の製造方法を示した第一の図の一例である。
【図５】棒状化粧料の製造方法を示した第二の図の一例である。
【図６】棒状化粧料の製造方法を示した第三の図の一例である。
【図７】実施形態に係る製造装置に適用可能な金型の変形例を示した図の一例である。
【図８】第一の金型部を上から見た図の一例である。
【図９】変形例に係る金型を用いた棒状化粧料の製造方法を示した第一の図の一例である。
【図１０】変形例に係る金型を用いた棒状化粧料の製造方法を示した第二の図の一例である。
【図１１】変形例に係る金型を用いた棒状化粧料の製造方法を示した第三の図の一例である。
【図１２】変形例に係る保持器を示した図の一例である。
【図１３】吸引器の吸引口と口紅容器とを離間させた場合の空気の経路を示した図の一例である。
【発明を実施するための形態】
【００１８】
以下、本願発明の実施形態について説明する。以下に示す実施形態は、本願発明の一態様を示すものであり、本願発明の技術的範囲を以下の実施形態に限定するものではない。
【００１９】
＜実施形態＞
図１は、実施形態に係る棒状化粧料の製造装置（以下、単に「製造装置」という）を示した図の一例である。製造装置１０は、棒状化粧料を装填する容器を保持する保持器２０（本発明でいう保持手段の一例である）と、保持器２０に保持される容器内の気体を吸引する吸引器３０（本発明でいう吸引手段の一例である）とを備える。
【００２０】
図２は、棒状化粧料の一種である口紅の紅芯を装填する口紅容器が配置された状態の保持器２０を示した図の一例である。図２に例示する口紅容器１は、円筒状になっており、外周面が複数段に形成されている。すなわち、口紅容器１は、口紅の紅芯が内部を摺動する内側筒体２と、紅芯を繰り上げ或いは繰り下げるための内部機構を収容する外側筒体３と、外側筒体３と内側筒体２との間に配置され、内側筒体２を覆うキャップが係合する係合体４とを備えており、内側筒体２や外側筒体３、係合体４の径が互いに相違することにより、外周面が複数段に形成されている。
【００２１】
再び図１に戻って説明する。保持器２０は、棒状化粧料を成形する金型に隣接し、且つ、当該金型の型枠内に成形される紅芯の根本部分が口紅容器１の開口部５を向いた状態で、口紅容器１を保持するものであり、口紅容器１を挟持する第一の保持部２１および第二の保持部２４を備える。図１に例示する第一の保持部２１は、口紅容器１の外周側面を下側から支持する第一の支持面２２および第二の支持面２３を有する。第一の保持部２１は、第一の支持面２２および第二の支持面２３が、口紅容器１の外周側面に沿うようにそれぞれ形成され且つ口紅容器１の長手方向に沿って並ぶように配置されることにより、第一の保持部２１に載置される口紅容器１を安定した姿勢で支持可能である。なお、第二の保持部２４についても、形状が第一の保持部２１と上下対称になっており、第一の保持部２１と同様の構成を有している。
【００２２】
吸引器３０は、口紅容器１の開口部５が、金型に成形されている紅芯の根本部分を向いた状態で保持器２０に保持された状態の口紅容器１内の気体を吸引し、金型の型枠内に成形されている紅芯を口紅容器１内に移動するものであり、口紅容器１の底部が当接する当
接面３１に形成された吸引口３２と、吸引口３２に連通する吸引チューブ接続口３３とを備える。
【００２３】
図３は、吸引器３０の内部に形成されている通気経路を示した図の一例である。保持器２０に装着される口紅容器１の底部には、口紅容器１の内部に連通する孔７が設けられていることを前提としており、吸引口３２は、口紅容器１の底部に設けられている孔７を経由し、口紅容器１の内部の空気を吸引する。吸引チューブ接続口３３には、図示しない真空ポンプ等の吸引手段がチューブを介して接続される。なお、本実施形態に係る製造装置１０が空気雰囲気中に配置されている場合、吸引器３０が吸引する口紅容器１内の気体は空気であるが、製造装置１０がその他の種類のガス雰囲気中に配置されている場合、吸引器３０が吸引する口紅容器１内の気体は当該ガスとなる。
【００２４】
図４〜図６は、上記製造装置１０を用いた棒状化粧料の製造方法を示した図の一例である。上記製造装置１０を用いて口紅を製造する場合、内部に紅芯６を成形した金型４０を用意すると共に、第一の保持部２１に口紅容器１をセットする（図４（Ａ）参照）。次に、第一の保持部２１に第二の保持部２４を載せて固定し、口紅容器１を保持した状態にする（図４（Ｂ）参照）。
【００２５】
次に、金型４０を、保持器２０に保持されている口紅容器１に隣接し、且つ、金型４０の型枠内に成形されている紅芯６の根本部分が口紅容器１の開口部５を向いた状態となるように配置する。また、吸引器３０を、保持器２０に保持された口紅容器１の底部が当接面３１に当接し、且つ、当接面３１に形成された吸引口３２が、口紅容器１の底部に形成された口紅容器１の内部に連通する孔に重なる状態となるように配置する（図４（Ｃ）参照）。
【００２６】
これにより、図５（Ａ）に示すように、金型４０の型枠内に成形されている紅芯６の根本部分が口紅容器１の開口部５を向いた状態となる。次に、図示しない真空ポンプ等の吸引手段を作動させて口紅容器１内の気体を吸引する。口紅容器１内の真空度の上昇によって増大する、口紅容器１の内部と外部との差圧により紅芯６に作用する吸引力が、紅芯６と金型４０との間に作用する粘着力を上回ると、やがて金型４０の型枠内に成形されている紅芯６が口紅容器１内に移動する（図５（Ｂ））。紅芯６が口紅容器１内に嵌ると、紅芯６の移動が止まる。
【００２７】
紅芯６が口紅容器１内に嵌った後、金型４０を保持器２０から引き離す（図６（Ａ））。この時、吸引器３０による吸引状態は維持してもよいし、吸引を停止した状態にしてもよい。次に、吸引器３０を保持器２０から引き離すと共に、第二の保持部２４を第一の保持部２１から外す（図６（Ｂ））。次に、第一の保持部２１にセットされている口紅容器１を取出し、外側筒体３と内側筒体２とを互いに相反する方向に回し、口紅容器１内への紅芯６の装填を完了する（図６（Ｃ））。なお、口紅容器１に紅芯６を装填する前に、紅芯６の表面に各種の表面加工を施してもよい。紅芯６を収容した口紅容器１に、例えば、キャップやラベル等を取り付けることにより、口紅が完成する。
【００２８】
＜金型の変形例＞
なお、上記実施形態に係る製造装置１０は、図４〜図６に示したような金型４０に限定されるものではない。図７は、上記実施形態に係る製造装置１０に適用可能な金型の変形例を示した図の一例である。
【００２９】
本変形例に係る金型１４０は、図７に示すように、紅芯の長手方向に延在する面に沿って２つに分離可能な金型であり、第一の金型部１４１と第二の金型部１４２とを有する。図７に例示する第一の金型部１４１は、紅芯の外周側面の片側を形成する第一の型枠１４
３を有する。第一の型枠１４３は、上記実施形態において示した金型４０と同様、紅芯の根元部分が開放されており、第一の金型部１４１と第二の金型部１４２とが組み合わさった状態においても、金型１４０内に成形されている紅芯の根元部分を、保持器２０に保持されている口紅容器１の開口部５に隣接配置することが可能なようになっている。なお、第二の金型部１４２についても、形状が第一の金型部１４１と上下対称になっており、第一の金型部１４１と同様の構成を有している。
【００３０】
図８は、第一の金型部１４１を上から見た図の一例である。第一の金型部１４１に設けられている第一の型枠１４３内には、図８に示すように、紅芯の表面に文字や図形等の立体的形状を形成するための凹状あるいは凸状の刻印１４５（本発明でいう凹部あるいは凸部の一例である）が設けられている。第一の型枠１４３内に刻印１４５が設けられていることにより、金型１４０内に形成される紅芯の表面には、刻印１４５によって形成される立体的形状が施されることになる。なお、刻印１４５は、金型１４０から省略されていてもよい。
【００３１】
図９〜図１１は、上記実施形態に係る製造装置１０と本変形例に係る金型１４０とを用いた棒状化粧料の製造方法を示した図の一例である。上記製造装置１０と本変形例に係る金型１４０とを用いて口紅を製造する場合、内部に紅芯を成形した金型１４０を用意すると共に、第一の保持部２１に口紅容器１をセットする（図９（Ａ）参照）。次に、第一の保持部２１に第二の保持部２４を載せて固定し、口紅容器１を保持した状態にする（図９（Ｂ）参照）。
【００３２】
次に、金型１４０を、保持器２０に保持されている口紅容器１に隣接し、且つ、金型４０の型枠内に成形されている紅芯の根本部分が口紅容器１の開口部５を向いた状態となるように配置する。また、吸引器３０を、保持器２０に保持された口紅容器１の底部が当接面３１に当接し、且つ、当接面３１に形成された吸引口３２が、口紅容器１の底部に形成された口紅容器１の内部に連通する孔に重なる状態となるように配置する（図９（Ｃ）参照）。
【００３３】
次に、金型１４０を構成する２つの部材のうち刻印が形成されている方の部材を取り外す。すなわち、例えば、図８に示したように、第一の金型部１４１の第一の型枠１４３に刻印１４５が形成されている場合、第一の金型部１４１を取り外す。これにより、図１０（Ａ）に示すように、第二の金型部１４２に残留する紅芯１０６の根本部分が口紅容器１の開口部５を向き、且つ、印影１０７が露出した状態となる。なお、紅芯１０６が第一の金型部１４１ではなく、第二の金型部１４２に残留させる方法として、例えば、第一の金型部１４１に離型材を予め塗布したり、或いは、型枠の形状に工夫を凝らしたりしてもよい。
【００３４】
次に、図示しない真空ポンプ等の吸引手段を作動させて口紅容器１内の気体を吸引する。口紅容器１内の真空度の上昇によって増大する、口紅容器１の内部と外部との差圧により紅芯１０６に作用する吸引力が、紅芯１０６と第二の金型部１４２との間に作用する粘着力を上回ると、やがて第二の金型部１４２の第二の型枠１４４内に成形されている紅芯１０６が口紅容器１内に移動する（図１０（Ｂ））。紅芯１０６が口紅容器１内に嵌ると、紅芯１０６の移動が止まる。
【００３５】
紅芯１０６が口紅容器１内に嵌った後、第二の金型部１４２を保持器２０から引き離す（図１０（Ｃ））。この時、吸引器３０による吸引状態は維持してもよいし、吸引を停止した状態にしてもよい。次に、吸引器３０を保持器２０から引き離すと共に、第二の保持部２４を第一の保持部２１から外す（図１１（Ａ））。次に、第一の保持部２１にセットされている口紅容器１を取出し、外側筒体３と内側筒体２とを互いに相反する方向に回し
、口紅容器１内への紅芯１０６の装填を完了する（図１１（Ｂ））。
【００３６】
本変形例に係る金型１４０のように、第一の金型部１４１と第二の金型部１４２とに分離可能な金型であれば、紅芯１０６の表面に印影１０７を形成することが可能である。また、上記実施形態に係る製造装置１０であれば、金型の内部に成形された成形物を加圧して押し出すのではなく、容器の側から吸引して金型から引き抜いているため、例えば本変形例に係る金型１４０のように、刻印を有しているが故に離型の前に金型を複数に分離する必要のあるような金型であっても、成形物を容器内に装填可能である。
【００３７】
＜製造装置の変形例＞
なお、本実施形態に示す保持器２０は、円筒状の口紅容器１を保持することを前提にしていたが、本実施形態に係る製造装置１０に適用可能な保持器は、このようなものに限定されるものではない。図１２は、変形例に係る保持器を示した図の一例である。変形例に係る保持器１２０が保持する口紅容器１０１は、図１２に示すように、外側筒体１０３の外周面が真円ではなく丸みを帯びた方形になっている。従って、外側筒体１０３を支持する第一の支持面１２２についても、外側筒体１０３の外周面に沿うように、丸みを帯びた方形に形成されている。このように、外側筒体１０３の外周面が真円ではなく丸みを帯びた方形になっている口紅容器１０１であっても、本変形例に係る保持器１２０のように、容器を支持する支持面の形状を適宜変更した保持器を用意することにより、あらゆる形状の容器であっても成形物を金型から吸引して容器内へ装填可能である。
【００３８】
また、本実施形態に示す製造装置１０は、２つの口紅を同時に製造する構成となっているが、本発明の実施形態はこのような態様に限定されるものでなく、例えば、１つまたは３つ以上の口紅を同時に製造する構成となっていてもよい。
【００３９】
また、本実施形態に示す製造装置１０は、口紅を製造することを前提としていたが、本発明の実施形態はこのような態様に限定されるものでなく、例えば、グロスやリップクリームといった各種の棒状化粧料の製造に際しても適用可能である。
【００４０】
また、本実施形態に示す製造装置１０は、吸引器３０の吸引口３２と口紅容器１との間に所定の隙間が空いた状態で吸引を行ってもよい。図１３は、吸引器３０の吸引口３２と口紅容器１とを離間させた場合の空気の経路を示した図の一例である。図１３に示すように、吸引器３０の吸引口３２と口紅容器１との間にクリアランスを設けると、例えば、吸引口３２を多数設け、各吸引口３２に口紅容器１を各々配置して吸引を行う場合に、各吸引口３２間の吸引力のばらつきが緩和され、各吸引口３２に配置された各口紅容器１内へ紅芯６を適切に移動させることが可能である。吸引器３０の吸引口３２と口紅容器１との間の隙間の大きさは、真空ポンプの吸引力や吸引口３２の大きさ、口紅容器１の大きさ、紅芯６の大きさや粘度等にもよるが、例えば、０．２〜０．８ｍｍ程度の範囲内であれば１０本分の口紅容器１を一度にセット可能な吸引器３０であっても、各口紅容器１内に紅芯６を適正に吸引できることが確認された。
【符号の説明】
【００４１】
１０・・製造装置：２０，１２０・・保持器：２１・・第一の保持部：２２，１２２・・第一の支持面：２３・・第二の支持面：２４・・第二の保持部：３０・・吸引器：３１・・当接面：３２・・吸引口：３３・・吸引チューブ接続口：１，１０１・・口紅容器：２・・内側筒体：３，１０３・・外側筒体：４・・係合体：５・・開口部：６，１０６・・紅芯：７・・孔：１０７・・印影：４０，１４０・・金型：１４１・・第一の金型部：１４２・・第二の金型部：１４３・・第一の型枠：１４４・・第二の型枠：１４５・・刻印
【図１】
2014045985.tif 000003
【図２】
2014045985.tif 000004
【図３】
2014045985.tif 000005
【図４】
2014045985.tif 000006
【図５】
2014045985.tif 000007
【図６】
2014045985.tif 000008
【図７】
2014045985.tif 000009
【図８】
2014045985.tif 000010
【図９】
2014045985.tif 000011
【図１０】
2014045985.tif 000012
【図１１】
2014045985.tif 000013
【図１２】
2014045985.tif 000014
【図１３】
2014045985.tif 000015